(57)【要約】【課題】内容物を収容しないときは分解でき、また扉を取外し得る構造の保温装置を提供すること。【解決手段】直方体の各壁面を構成するパネル１−６が、強度材、真空断熱材および外被材の積層材によって形成され、かつ外周縁に軟質材が設けられて構成され、前記パネルが互いに隙間のない状態で固定されてなる直立式保温装置。【選択図】　図１
2004010153.tif 000002
【特許請求の範囲】
【請求項１】
直方体の各壁面を構成するパネルが、強度材、真空断熱材および外被材の積層材によって形成され、かつ外周縁に軟質材が設けられて構成され、前記パネルが互いに隙間のない状態で固定されてなる直立式保温装置。
【請求項２】
請求項１記載の直立式保温装置において、前記パネルは、強度材と、無機材もしくは有機材の多孔質もしくはファイバー状の材料による真空断熱材と、金属、プラスチックの積層フィルムによる外被材とにより構成された直立式保温装置。
【請求項３】
請求項１記載の直立式保温装置において、
前記パネルの幾つかは互いに連結されて形成され、
連結されていないパネル同士は、面連結部材により連結される直立式保温装置。
【請求項４】
請求項２記載の直立式保温装置において、
前記パネルの外周における複数箇所に固定用ベルトを巻装する直立式保温装置。
【発明の詳細な説明】
【０００１】
【産業上の利用分野】
本発明は、食品などの温度管理が必要な商品を輸送、展示するための保温装置に係り、とくに組立、分解ができるように構成されたものに関する。
【０００２】
【従来の技術】
従来、たとえば生鮮食品等を輸送するには、温度管理をしながら運搬する都合上、図５（ａ），（ｂ）に示した保温箱と称する直立式の容器を用いる。これは、箱体の強度を持たせるための外枠Ａと、この外枠に組み込まれて内容物の保温機能を受け持つ内箱Ｂとにより構成されており、台車を利用した近距離移動と、車輌を利用した遠距離移動とを組み合わせて運搬されるものである。
【０００３】
【発明が解決しようとする課題】
この保温箱は、形状が不変であって、内容物があろうがなかろうが所定形状を保っており、コンパクト化することができない。また、扉は開閉構造ではあるが、取外しできない構造であるから、商品の陳列用には利用できない。
【０００４】
本発明は上述の点を考慮してなされたもので、内容物を収容しないときは分解でき、また扉を取外し得る構造の保温装置を提供することを目的とする。
【０００５】
【課題を解決するための手段】
上記目的達成のため、本発明では、
直方体の各壁面を構成するパネルが、強度材、真空断熱材および外被材の積層材によって形成され、かつ外周縁に軟質封止材が設けられて構成され、前記パネルが互いに隙間のない状態で固定されてなる直立式保温装置、
を提供するものである。
【０００６】
【発明の実施の形態】
図１は、本発明に係る保温装置の全体構造を、一部分解して示した説明図である。この図１に示すように、保温装置は全体的に直方体状をなしており、両側面パネル１，２、背面パネル３、天井パネル４、底面パネル５、および取外された状態で図示されている扉パネル６からなる６枚のパネルにより構成されている。
【０００７】
これらのパネル１ないし６により形成された保温装置には、その内部の最上部にネット７および穴の開いた棚板８が設けられ、この棚板８上に蓄冷剤（もしくは蓄熱剤）９が載せられる。このように扉を外した状態にすると、蓄冷剤（蓄温剤）を作用させつつ商品を陳列するために利用することができる。
【０００８】
各パネル１ないし６は、主として強度を受け持つ強度材としての金属、プラスチックその他の板材に、主として断熱作用を持つ真空断熱材、さらには外被材を積層する。外被としては、断熱性能および耐久性の点から、各種積層されたプラスチックフィルムにアルミニウム蒸着を施したシートとか、プラスチックフィルムにアルミニウム箔を結合したシートを用いればよい。また、合成繊維、天然繊維による布材を適宜用いてもよい。
【０００９】
そして各パネルの、他のパネルと当接する外周縁には、緩衝性、気密性を得るために、ウレタン、ポリエチレン、ポリプロピレンなどのスポンジ状軟質材が設けられている。
【００１０】
また、各パネルを相互に固定するために、各パネルには、面連結部材としてのベルクロファスナ（商品名）式固定具がいわば糊代状に設けられており、このベルクロファスナ式固定具によりパネル相互の固定が図られる。
【００１１】
図２は、６枚のパネル１ないし６を相互に固定することにより保温装置を構成し、かつ内容物を収容して台車に載せた状態を示す斜視図である。各パネル１ないし６は、実際上はそのうちの隣接するもの同士を一体形成して例えば４群に分け、各パネル群をベルクロファスナ式固定具により相互固定している。
【００１２】
そのために、各パネル群における他のパネル群と当接するパネル周縁部には、ベルクロファスナ式固定具が設けられていて、この固定具同士を重ね合わせることにより固定状態が出来上がる。このとき、各パネルの外周縁に設けられた弾性を有する軟質材の作用により、パネルの外周縁相互間が隙間無く気密状態に近い状態で当接している。
【００１３】
さらに、相互に固定された各パネルにより形成された直方体状の保温装置を補強するために、ベルト１０が２個所掛けられている。ベルト１０には、適当なバックルが設けられており、このバックルを利用して十分に締め付けることにより各パネル同士の連結状態を強固にし、かつその状態を長時間保つことができるようになっている。ベルト掛けの数は、３箇所以上としてもよい。
【００１４】
なお、扉パネル６の表面には、伝票ポケット１１を設け、運搬業務の便を図っている。
【００１５】
図３は、保温装置として使用した後で運搬するときに、各パネルに分解して纏めた状態を示している。この場合、両側面パネル１，２はそれぞれ独立しており、背面パネル３、天井パネル４および底面パネル５が一体形成され、その他に扉パネル６があり、全体で４つのパネル群を形成している。これらパネル群を、ベルト１０により括ってコンパクト化した状態で搬送する。
【００１６】
分解の順序としては、まず装置の天井パネル近くに取り付けられている蓄冷剤９（図１）を取外した後、側面パネル１，２を外してから天井パネル３、底面パネル４を中に折り畳んで背面パネル５に重ね合わせ、次いでその上に側面パネル１，２および扉パネル６を載せてベルト１０で一緒に締め付ける。
【００１７】
図４（ａ），（ｂ）は、図１の実施例に用いられるパネルの内容物および外被の構造を示したものである。図４（ａ）は、パネルの内容物１００であり、プラスチック、金属または無機系、有機系の素材による一対の板状強度材１０１間に、真空断熱材１０２が挟み込まれ、真空断熱材１０２の図示上下方向の両側縁に軟質スポンジ材１０３が設けられている。
【００１８】
板状強度材１０１は、運搬途中で起き易い、他のケースの角とか棒状物が衝突して突き刺さることを防止する機能を受け持つ。その意味で、ある程度の硬度を持った素材を用いる必要があり、用途に応じて種々の素材を選択できる。
【００１９】
また、真空断熱材１０２は、主として断熱材としての機能を有するが、直立式保温装置の筐体が持つべき強度も受け持つことができる。そして、真空断熱材１０２には、次のようなものがあり、何れもＰＥＴ等のプラスチック製の袋に素材を収容して内蔵物中に形成されている気泡等の空気を真空抽きし、封止することにより真空の粒状空間を全体に散在させたものとする。
【００２０】
素材としては、第１には、ウレタン、スチロール等の多孔性樹脂を利用するもの、第２には、グラスウール、ロックウール（岩綿）等のファイバーを用いるもの、そして第３には、ケイ酸、ケイ酸カルシウム、炭酸カルシウム等の粉体の加工物を用いるもの、がある。これにより、剛性および断熱性を持ち、側縁が緩衝機能を持ったパネルの内容物１００が形成される。この内容物１００は、良好な断熱性能を有し、パネルの強度を提供するものでもある。
【００２１】
この内容物１００は、図４（ｂ）に示す耐久性あるカバー２００に収容されてパネルが形成される。カバー２００は、ラミネート構造のプラスチックフィルム，アルミニウム蒸着シート、アルミニウム箔を結合して形成されるものであり、一辺に開口が設けられた袋状に形成される。そして、開口にはベルクロファスナ式固定具が設けられており、この固定具が図４（ａ）に示した内容物１００の収容後に閉じられてパネルを構成する。
【００２２】
図５（ａ），（ｂ），（ｃ）は、図４に示したパネルを適宜組合せて４つのパネル群を形成した場合の各パネル群を示したものである。ここでは、背面パネル３を中心に、天井パネル４および底面パネル５を組合せたもの（図５（ａ））、両側面パネル１，２（図５（ｂ））および扉面パネル６（図５（ｃ））として構成されている。
【００２３】
そして、扉パネル６は４つの周縁全てに固定代を有し、両側面パネル１，２、天井パネル４および底面パネル５に対して、面連結部材としてのベルクロファスナ式固定具により固定される。
【００２４】
また、両側面パネル１，２と背面パネル３との当接部分、つまり縦方向の縁部には、ベルクロファスナ式固定具用の固定代が壁面外方に突出して設けられており、この固定代が他の壁面に設けられたベルクロファスナ式固定具と結合して両パネルが相互に固定される。このとき、軟質スポンジ材は、各パネル相互間に隙間が生じないように変形してパネル同士が相互に密着した状態を形成する。
【００２５】
本発明に係る保温装置の保温性能を確認するために、各種食品を用いて数度の輸送実験を行った結果、何れの場合も十分な性能を有することが分った。
【００２６】
（変形例）
上記実施例では、背面パネルに天井パネルおよび底面パネルを一体形成しているが、これを拡張して両側面パネルを組み合わせ、扉パネルとそれ以外のパネルとの２つのパネル群とするなど、種々の変形が可能である。
【００２７】
【発明の効果】
本発明は上述のように、強度材、断熱材および外被材の積層材によって形成され、かつ外周縁に軟質封止材が設けられたパネルを互いに隙間のない状態で固定して直立式保温装置を構成するようにしたため、内容物を収容したときは十分な保温性能を有し、一方パネルに分解することによりコンパクト化できる保温装置を提供することができる。
【図面の簡単な説明】
【図１】本発明の一実施例の一部を分解して全体構造が分るように示した斜視図。
【図２】図１の実施例を組み上げて台車に搭載した状態を示す斜視図。
【図３】図１の実施例をパネルに分解して纏めた状態を示す斜視図。
【図４】図４（ａ），（ｂ）は、図１の実施例に用いられるパネルの内部構造を示す説明図。
【図５】図５（ａ），（ｂ），（ｃ）は、図１に示した実施例に用いるパネルの群構成例を示す説明図。
【図６】図６（ａ），（ｂ）は、従来の保温装置の外観および構造を示す斜視図。
【符号の説明】
１，２　側面パネル
３　背面パネル
４　天井パネル
５　底面パネル
６　扉パネル
７　ネット
８　棚板
９　蓄冷剤
１０　ベルト
１１　伝票ポケット
１００　パネル内容物
２００　カバー
Ａ　外枠
Ｂ　内箱
【図１】
2004010153.tif 000003
【図２】
2004010153.tif 000004
【図３】
2004010153.tif 000005
【図４】
2004010153.tif 000006
【図５】
2004010153.tif 000007
【図６】
2004010153.tif 000008